(57)【要約】      （修正有）【課題】貸与端末で出力していたコンテンツをユーザ自身の購入に導くことができる貸与端末プログラム、携帯端末プログラム及びコンテンツ購入システムを提供する。【解決手段】書籍コンテンツを記憶するサーバ５に対して通信ネットワークＮを介して接続され、ユーザに貸与されるコンピュータである美容室端末１で実行する美容室端末用プログラムは、美容室端末１を、サーバ５から受信した書籍コンテンツを記憶する書籍コンテンツ記憶部に記憶された書籍コンテンツをユーザに対して出力するコンテンツ出力手段と、出力されている書籍コンテンツを特定するデータであるコンテンツ特定データを、近距離に配置され、ユーザが携行する携帯端末３により取得可能に出力する特定データ出力手段として機能させる。【選択図】図１
2014119806.tif 000002
【特許請求の範囲】
【請求項１】
コンテンツを記憶するサーバに対して通信ネットワークを介して接続され、ユーザに貸与されるコンピュータである貸与端末で実行する貸与端末プログラムであって、
前記貸与端末は、前記サーバから受信したコンテンツを記憶するコンテンツ記憶部を備え、
前記貸与端末を、
前記コンテンツ記憶部に記憶された前記コンテンツを前記ユーザに対して出力するコンテンツ出力手段と、
前記コンテンツ出力手段から出力されているコンテンツを特定するデータであるコンテンツ特定データを、近距離に配置され、前記ユーザが携行する携帯端末により取得可能に出力する特定データ出力手段と、
して機能させること、
を特徴とする貸与端末プログラム。
【請求項２】
請求項１に記載の貸与端末プログラムにおいて、
前記特定データ出力手段を、前記サーバのＵＲＬと共に、前記コンテンツ特定データを出力するように機能させること、
を特徴とする貸与端末プログラム。
【請求項３】
請求項１又は請求項２に記載の貸与端末プログラムにおいて、
前記特定データ出力手段を、前記コンテンツの出力途中における前記ユーザの購入操作に基づいて、前記コンテンツ特定データを出力するように機能させること、
を特徴とする貸与端末プログラム。
【請求項４】
請求項３に記載の貸与端末プログラムにおいて、
前記特定データ出力手段を、前記ユーザが視聴している前記コンテンツの位置に関するデータである視聴位置データと共に、前記コンテンツ特定データを出力するように機能させること、
を特徴とする貸与端末プログラム。
【請求項５】
請求項１から請求項４までのいずれかに記載の貸与端末プログラムにおいて、
前記コンテンツ出力手段を、前記コンテンツ記憶部に記憶された複数の前記コンテンツを、それらのコンテンツの題号が分かる態様で表示部に出力し、前記ユーザによる一の前記コンテンツの選択を受け付けることで、受け付けた前記一のコンテンツを前記表示部に出力するように機能させること、
を特徴とする貸与端末プログラム。
【請求項６】
請求項１から請求項５までのいずれかに記載の貸与端末プログラムにおいて、
前記サーバは、広告の画像データである広告画像データを記憶しており、
前記貸与端末を、
前記サーバから受信した前記広告画像データを表示部に出力する広告表示手段と、
前記ユーザによる送信操作に基づいて、前記表示部に出力された前記広告画像データを、前記携帯端末により取得可能に出力する広告配信手段と、
して機能させること、
を特徴とする貸与端末プログラム。
【請求項７】
請求項６に記載の貸与端末プログラムにおいて、
前記貸与端末を、
前記貸与端末が存在する端末位置データを前記サーバに送信する端末位置送信手段と、
前記端末位置データに応じた広告画像データを、前記サーバから受信する広告受信手段と、
して機能させること、
を特徴とする端末プログラム。
【請求項８】
コンテンツを記憶するサーバに対して通信ネットワークを介して接続され、ユーザが携行するコンピュータである携帯端末で実行する携帯端末プログラムであって、
前記携帯端末を、
前記ユーザに貸与される貸与端末の近距離に配置されることにより、前記貸与端末から出力されたコンテンツを特定するデータであるコンテンツ特定データを取得する特定データ取得手段と、
前記特定データ取得手段により取得された前記コンテンツ特定データに基づいて、前記コンテンツを購入するための購入画面を出力する購入画面出力手段と、
して機能させること、
を特徴とする携帯端末プログラム。
【請求項９】
請求項８に記載の携帯端末プログラムにおいて、
前記特定データ取得手段を、前記コンテンツ特定データを含む前記購入画面の画面データを取得するように機能させ、
前記購入画面出力手段を、取得された前記購入画面の画面データから前記購入画面を生成して出力するように機能させること、
を特徴とする携帯端末プログラム。
【請求項１０】
請求項８に記載の携帯端末プログラムにおいて、
前記特定データ取得手段を、前記貸与端末から出力された前記サーバのＵＲＬと共に、前記コンテンツ特定データを取得するように機能させ、
前記購入画面出力手段を、前記サーバのＵＲＬに基づき前記コンテンツ特定データを前記サーバに対して送信することで、前記サーバが前記コンテンツ特定データに基づく前記購入画面の画面データを送信して、前記サーバから前記購入画面の画面データを受信して前記購入画面を出力するように機能させること、
を特徴とする携帯端末プログラム。
【請求項１１】
請求項８から請求項１０までのいずれかに記載の携帯端末プログラムにおいて、
前記携帯端末を、
前記購入画面の出力後、前記ユーザの購入操作に基づいて前記サーバに対して前記コンテンツの購入要求データを送信する購入要求送信手段と、
前記サーバが購入された前記コンテンツを前記携帯端末に送信することで、前記サーバから前記コンテンツを受信するコンテンツ受信手段と、
して機能させること、
を特徴とする携帯端末プログラム。
【請求項１２】
請求項１１に記載の携帯端末プログラムにおいて、
前記特定データ取得手段を、前記貸与端末で前記ユーザが視聴している前記コンテンツの位置に関するデータである視聴位置データと共に、前記コンテンツ特定データを取得するように機能させ、
前記携帯端末を、前記コンテンツ受信手段により受信した前記コンテンツを、前記視聴位置データに基づいて前記貸与端末で前記ユーザが視聴していた位置から前記コンテンツを出力するコンテンツ出力手段として機能させること、
を特徴とする携帯端末プログラム。
【請求項１３】
請求項８から請求項１２までのいずれかに記載の携帯端末プログラムにおいて、
前記携帯端末を、
前記貸与端末の近距離に配置されることにより、前記貸与端末が出力する広告の画像データである広告画像データを受信する広告受信手段と、
前記広告受信手段により取得された前記広告画像データを表示部に出力する広告表示手段と、
して機能させること、
を特徴とする携帯端末プログラム。
【請求項１４】
請求項１から請求項７までのいずれかに記載の貸与端末プログラムを実行する貸与端末と、
請求項８から請求項１３までのいずれかに記載の携帯端末プログラムを実行する携帯端末と、
前記コンテンツを記憶するサーバと、
を備えるコンテンツ購入システム。
【請求項１５】
コンテンツを記憶するサーバと、ユーザに貸与される貸与端末と、前記ユーザが携行する携帯端末とを備え、前記サーバに対して前記貸与端末と前記携帯端末とが通信ネットワークを介して接続されるコンテンツ購入システムであって、
前記貸与端末は、
前記サーバから受信したコンテンツを記憶するコンテンツ記憶部と、
前記コンテンツ記憶部に記憶された前記コンテンツをユーザに対して出力するコンテンツ出力部と、
前記コンテンツ出力部から出力されているコンテンツを特定するデータであるコンテンツ特定データを、近距離に配置された前記携帯端末により取得可能に出力する特定データ出力部と、
を備え、
前記携帯端末は、
前記貸与端末の近距離に配置されることにより、前記貸与端末から出力された前記コンテンツ特定データを取得する特定データ取得部と、
前記特定データ取得部により取得された前記コンテンツ特定データに基づいて、前記コンテンツを購入するための購入画面を出力する購入画面出力部と、
前記購入画面の出力後、前記ユーザの購入操作に基づいて前記サーバに対して前記コンテンツの購入要求データを送信する購入要求送信部と、
を備え、
前記サーバは、前記携帯端末から前記コンテンツの購入要求データを受信することで、購入された前記コンテンツを前記携帯端末に対して送信するコンテンツ送信部を備え、
前記携帯端末は、前記サーバから前記コンテンツを受信するコンテンツ受信部を備えること、
を特徴とするコンテンツ購入システム。
【発明の詳細な説明】
【技術分野】
【０００１】
本発明は、貸与端末プログラム、携帯端末プログラム及びコンテンツ購入システムに関する。
【背景技術】
【０００２】
美容室や理容室等では、例えば、待ち時間に、多機能電話機等の端末をユーザに貸与することが行われている（例えば、特許文献１）。これらの端末により、ユーザは、例えば、書籍のコンテンツや、映画のコンテンツ等を視聴できる。
【０００３】
このように、端末にコンテンツを視聴させる技術は、様々なものが開示されている。
例えば、特許文献２には、常設端末に、新聞や雑誌等のデジタル情報が、定期的に又は不定期に配信される技術が開示され、そのデジタル情報は、常設端末から携帯端末にもとれることが開示されている。
特許文献３には、電話回線、インターネットを通じて定期購入している情報のタイトル、本棚アイコン、広告等が電子情報閲覧装置の表示装置に表示される技術が開示されている。
特許文献４には、電子書籍端末に、新聞、雑誌と広告とが同時に表示される技術が開示されている。
特許文献５には、配信装置の郵便番号に応じて、広告コンテンツが配信され、広告装置と近接通信した携帯電話に広告コンテンツが送信される技術が開示されている。
特許文献６には、店舗所在地の郵便番号と利用者の郵便番号が一致する場合に、店舗の広告を利用者の端末に送信するシステムが開示されている。
特許文献７には、会員、利用者の居住地域に応じて、折込チラシの電子情報を、会員、利用者の端末へ送信する技術が開示されている。
【０００４】
また、端末に情報を表示させる技術も、様々なものが開示されている。
例えば、特許文献８には、デパートにおいて、商品に取り付けられた商品タグの商品コードを、接客端末に読み取らせて、商品サーバにアクセスすると、その商品の購入操作、購入予約操作を行う技術が開示されている。
特許文献９には、携帯電話をリーダライタに近づけて、サーバにアクセスすることで、チケットを購入することができる技術が開示されている。
【先行技術文献】
【特許文献】
【０００５】
【特許文献１】特開２００２−２０９０３２号公報
【特許文献２】特開２００１−２７３２６５号公報
【特許文献３】特開２０００−１１２９６３号公報
【特許文献４】特開２００１−１９５４１２号公報
【特許文献５】特開２００３−５６８６号公報
【特許文献６】特開２００４−１７８１６１号公報
【特許文献７】特開２００５−１２２７６２号公報
【特許文献８】特開２００２−１０９３０２号公報
【特許文献９】特開２０１０−１１０５８号公報
【発明の概要】
【発明が解決しようとする課題】
【０００６】
美容室等で順番待ちの間に貸与される端末でコンテンツを視聴している場合に、待ち時間が終わること等により、コンテンツが視聴できなくなってしまうと、ユーザは、コンテンツを最後まで楽しみたくても、途中で中断しなければならない。この後に、ユーザは、中断したコンテンツを楽しみたいという要求が生じる場合があるが、帰宅してインターネット等で同じコンテンツを探して購入しなければならず、探す手間と経過する時間により、購入意欲が次第に失せてしまう。ユーザが、仮に、スマートフォン等の携帯端末を持っていたとしても、コンテンツが著作物である場合には、著作権が問題となり、貸与された端末からのコピーが制限される。
【０００７】
本発明は、貸与端末で出力していたコンテンツをユーザ自身の購入に導くことができる貸与端末プログラム、携帯端末プログラム及びコンテンツ購入システムを提供することを目的とする。
【課題を解決するための手段】
【０００８】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００９】
第１の発明は、コンテンツを記憶するサーバ（５）に対して通信ネットワーク（Ｎ）を介して接続され、ユーザに貸与されるコンピュータである貸与端末（１）で実行する貸与端末プログラム（２１）であって、前記貸与端末は、前記サーバから受信したコンテンツを記憶するコンテンツ記憶部（２２）を備え、前記貸与端末を、前記コンテンツ記憶部に記憶された前記コンテンツを前記ユーザに対して出力するコンテンツ出力手段と、前記コンテンツ出力手段から出力されているコンテンツを特定するデータであるコンテンツ特定データを、近距離に配置され、前記ユーザが携行する携帯端末（３）により取得可能に出力する特定データ出力手段と、して機能させること、を特徴とする貸与端末プログラムである。
第２の発明は、第１の発明の貸与端末プログラム（２１）において、前記特定データ出力手段を、前記サーバ（５）のＵＲＬと共に、前記コンテンツ特定データを出力するように機能させること、を特徴とする貸与端末プログラムである。
第３の発明は、第１の発明又は第２の発明の貸与端末プログラム（２１）において、前記特定データ出力手段を、前記コンテンツの出力途中における前記ユーザの購入操作に基づいて、前記コンテンツ特定データを出力するように機能させること、を特徴とする貸与端末プログラムである。
第４の発明は、第３の発明の貸与端末プログラムにおいて、前記特定データ出力手段を、前記ユーザが視聴している前記コンテンツの位置に関するデータである視聴位置データと共に、前記コンテンツ特定データを出力するように機能させること、を特徴とする貸与端末プログラムである。
第５の発明は、第１の発明から第４の発明までのいずれかの貸与端末プログラム（２１）において、前記コンテンツ出力手段を、前記コンテンツ記憶部（２２）に記憶された複数の前記コンテンツを、それらのコンテンツの題号が分かる態様で表示部（２６）に出力し、前記ユーザによる一の前記コンテンツの選択を受け付けることで、受け付けた前記一のコンテンツを前記表示部に出力するように機能させること、を特徴とする貸与端末プログラムである。
第６の発明は、第１の発明から第５の発明までのいずれかの貸与端末プログラム（２１）において、前記サーバ（５）は、広告の画像データである広告画像データを記憶しており、前記貸与端末（１）を、前記サーバから受信した前記広告画像データを表示部（２６）に出力する広告表示手段と、前記ユーザによる送信操作に基づいて、前記表示部に出力された前記広告画像データを、前記携帯端末（３）により取得可能に出力する広告配信手段と、して機能させること、を特徴とする貸与端末プログラムである。
第７の発明は、第６の発明の貸与端末プログラム（２１）において、前記貸与端末（１）を、前記貸与端末が存在する端末位置データを前記サーバ（５）に送信する端末位置送信手段と、前記端末位置データに応じた広告画像データを、前記サーバから受信する広告受信手段と、して機能させること、を特徴とする端末プログラムである。
【００１０】
第８の発明は、コンテンツを記憶するサーバ（５）に対して通信ネットワーク（Ｎ）を介して接続され、ユーザが携行するコンピュータである携帯端末（３）で実行する携帯端末プログラム（４１）であって、前記携帯端末を、前記ユーザに貸与される貸与端末（１）の近距離に配置されることにより、前記貸与端末から出力されたコンテンツを特定するデータであるコンテンツ特定データを取得する特定データ取得手段と、前記特定データ取得手段により取得された前記コンテンツ特定データに基づいて、前記コンテンツを購入するための購入画面を出力する購入画面出力手段と、して機能させること、を特徴とする携帯端末プログラムである。
第９の発明は、第８の発明の携帯端末プログラムにおいて、前記特定データ取得手段を、前記コンテンツ特定データを含む前記購入画面の画面データを取得するように機能させ、前記購入画面出力手段を、取得された前記購入画面の画面データから前記購入画面を生成して出力するように機能させること、を特徴とする携帯端末プログラムである。
第１０の発明は、第８の発明の携帯端末プログラム（４１）において、前記特定データ取得手段を、前記貸与端末（１）から出力された前記サーバ（５）のＵＲＬと共に、前記コンテンツ特定データを取得するように機能させ、前記購入画面出力手段を、前記サーバのＵＲＬに基づき前記コンテンツ特定データを前記サーバに対して送信することで、前記サーバが前記コンテンツ特定データに基づく前記購入画面の画面データを送信して、前記サーバから前記購入画面の画面データを受信して前記購入画面を出力するように機能させること、を特徴とする携帯端末プログラムである。
第１１の発明は、第８の発明から第１０の発明までのいずれかの携帯端末プログラム（４１）において、前記携帯端末（３）を、前記購入画面の出力後、前記ユーザの購入操作に基づいて前記サーバ（５）に対して前記コンテンツの購入要求データを送信する購入要求送信手段と、前記サーバが購入された前記コンテンツを前記携帯端末に送信することで、前記サーバから前記コンテンツを受信するコンテンツ受信手段と、して機能させること、を特徴とする携帯端末プログラムである。
第１２の発明は、第１１の発明の携帯端末プログラムにおいて、前記特定データ取得手段を、前記貸与端末で前記ユーザが視聴している前記コンテンツの位置に関するデータである視聴位置データと共に、前記コンテンツ特定データを取得するように機能させ、前記携帯端末を、前記コンテンツ受信手段により受信した前記コンテンツを、前記視聴位置データに基づいて前記貸与端末で前記ユーザが視聴していた位置から前記コンテンツを出力するコンテンツ出力手段として機能させること、を特徴とする携帯端末プログラムである。
第１３の発明は、第８の発明から第１２の発明までのいずれかの携帯端末プログラム（４１）において、前記携帯端末（３）を、前記貸与端末（１）の近距離に配置されることにより、前記貸与端末が出力する広告の画像データである広告画像データを受信する広告受信手段と、前記広告受信手段により取得された前記広告画像データを表示部（４６）に出力する広告表示手段と、して機能させること、を特徴とする携帯端末プログラムである。
【００１１】
第１４の発明は、第１の発明から第７の発明までのいずれかの貸与端末プログラム（２１）を実行する貸与端末（１）と、第８の発明から第１３の発明までのいずれかの携帯端末プログラム（４１）を実行する携帯端末（３）と、前記コンテンツを記憶するサーバ（５）と、を備えるコンテンツ購入システム（１００）である。
第１５の発明は、コンテンツを記憶するサーバ（５）と、ユーザに貸与される貸与端末（１）と、前記ユーザが携行する携帯端末（３）とを備え、前記サーバに対して前記貸与端末と前記携帯端末とが通信ネットワーク（Ｎ）を介して接続されるコンテンツ購入システム（１００）であって、前記貸与端末は、前記サーバから受信したコンテンツを記憶するコンテンツ記憶部（２２）と、前記コンテンツ記憶部に記憶された前記コンテンツをユーザに対して出力するコンテンツ出力部（２３）と、前記コンテンツ出力部から出力されているコンテンツを特定するデータであるコンテンツ特定データを、近距離に配置された前記携帯端末により取得可能に出力する特定データ出力部（１３）と、を備え、前記携帯端末は、前記貸与端末の近距離に配置されることにより、前記貸与端末から出力された前記コンテンツ特定データを取得する特定データ取得部（３１）と、前記特定データ取得部により取得された前記コンテンツ特定データに基づいて、前記コンテンツを購入するための購入画面を出力する購入画面出力部（３２）と、前記購入画面の出力後、前記ユーザの購入操作に基づいて前記サーバに対して前記コンテンツの購入要求データを送信する購入要求送信部（３３）と、を備え、前記サーバは、前記携帯端末から前記コンテンツの購入要求データを受信することで、購入された前記コンテンツを前記携帯端末に対して送信するコンテンツ送信部（５０，５９）を備え、前記携帯端末は、前記サーバから前記コンテンツを受信するコンテンツ受信部（３４）を備えること、を特徴とするコンテンツ購入システムである。
【発明の効果】
【００１２】
本発明によれば、貸与端末で出力していたコンテンツをユーザ自身の購入に導くことができる貸与端末プログラム、携帯端末プログラム及びコンテンツ購入システムを提供することができる。
【図面の簡単な説明】
【００１３】
【図１】本実施形態に係るコンテンツ購入システムの全体構成図及びサーバの機能ブロック図である。
【図２】本実施形態に係る美容室端末及び携帯端末の機能ブロック図である。
【図３】本実施形態に係る美容室端末の処理を示すフローチャートである。
【図４】本実施形態に係る美容室端末のタッチパネルディスプレイでの表示例を示す図である。
【図５】本実施形態に係る携帯端末の処理を示すフローチャートである。
【図６】本実施形態に係る美容室端末と携帯端末との関係を示す図及び両端末での表示例を示す図である。
【図７】本実施形態に係る美容室端末と携帯端末との関係を示す図及び両端末での表示例を示す図である。
【発明を実施するための形態】
【００１４】
以下、本発明を実施するための形態について、図を参照しながら説明する。なお、これは、あくまでも一例であって、本発明の技術的範囲はこれに限られるものではない。
（実施形態）
＜コンテンツ購入システムの全体構成＞
図１は、本実施形態に係るコンテンツ購入システム１００の全体構成図及びサーバ５の機能ブロック図である。
コンテンツ購入システム１００は、サーバ５が、美容室端末１（貸与端末）に表示された書籍コンテンツ（コンテンツ）と同一の書籍コンテンツを、ユーザが所有し携行する携帯端末３に送信するシステムである。
コンテンツ購入システム１００は、美容室端末１と、携帯端末３と、サーバ５とを備えている。美容室端末１と、携帯端末３とは、各々無線通信の基地局９と通信ネットワークＮとを介して、サーバ５との間で通信可能となっている。
美容室の顧客であるユーザは、美容室が所有する美容室端末１の貸出を受け、美容室端末１で書籍コンテンツ等を見る（視聴する）ことができる。また、ユーザは、自身の携帯端末３を美容室端末１に近づけることで、近距離無線通信によって美容室端末１から携帯端末３が受信した情報を得る。
【００１５】
美容室端末１は、美容室の店舗８に設置されて、ユーザが店舗８内で待ち時間の間や美容処理中に使用するために美容室がユーザに貸与する端末である。美容室端末１は、例えば、タブレット端末であり、タッチパネルディスプレイをユーザが操作可能な端末である。
携帯端末３は、例えば、スマートフォンに代表されるコンピュータの機能を併せ持った、ユーザが個人所有している携帯電話機である。携帯端末３は、その他、タブレット端末であってもよい。
＜サーバ＞
サーバ５は、書籍コンテンツのデータベースを備える電子書籍サーバとしての機能を有する。また、サーバ５は、チラシデータ（広告画像データ）のデータベースを備えるチラシデータサーバとしての機能を有する。チラシデータとは、新聞等の折込チラシを画像データにしたものである。
サーバ５は、制御部５０と、記憶部５５と、通信Ｉ／Ｆ（インタフェース）部５９とを備える。
【００１６】
制御部５０は、サーバ５の全体を制御する中央処理装置（ＣＰＵ）である。制御部５０は、記憶部５５に記憶されているオペレーティングシステム（ＯＳ）やアプリケーションプログラムを適宜読み出して実行することにより、上述したハードウェアと協働し、各種機能を実行する。
記憶部５５は、制御部５０が各種の処理を実行するために必要なプログラム、データ等を記憶するためのハードディスク、半導体メモリ素子等の記憶領域である。
記憶部５５は、書籍コンテンツ記憶部５６と、チラシデータ記憶部５７と、プログラム記憶部５８とを備える。
書籍コンテンツ記憶部５６は、書籍コンテンツが記憶されたデータベースである。書籍コンテンツ記憶部５６は、例えば、出版会社等によって書籍コンテンツが生成された場合に、図示しない他のサーバから書籍コンテンツを受信して記憶する。
チラシデータ記憶部５７は、チラシデータが記憶されたデータベースである。チラシデータ記憶部５７は、例えば、スーパーマーケット等の企業から依頼を受けたチラシ作成業者によってチラシデータが生成された場合に、図示しない他のサーバからチラシデータを受信して記憶する。
プログラム記憶部５８は、美容室端末１と、携帯端末３とに対してダウンロードさせるためのプログラムを記憶する。プログラム記憶部５８は、美容室端末１にダウンロードさせるための美容室端末用プログラム５８ａ（後述する）と、携帯端末３にダウンロードさせるための携帯端末用プログラム５８ｂ（後述する）とを記憶する。
通信Ｉ／Ｆ部５９は、通信ネットワークＮを介して、美容室端末１や携帯端末３との通信を行うためのインタフェース部であり、送信部及び受信部の役割を担う。
【００１７】
店舗８は、美容室内で美容室端末１を使用可能な空間である。
基地局９は、無線通信の基地局であって、美容室端末１や携帯端末３がサーバ５との間の通信をするための中継を行う。基地局９は、例えば、無線ＬＡＮ（Ｌｏｃａｌ  Ａｒｅａ  Ｎｅｔｗｏｒｋ）の基地局や、通信事業者の携帯端末通信網用の基地局である。
通信ネットワークＮは、サーバ５と基地局９との間のネットワークであり、インターネット回線や携帯端末通信網等である。
【００１８】
次に、美容室端末１と、携帯端末３との構成について、詳細に説明する。図２は、本実施形態に係る美容室端末１及び携帯端末３の機能ブロック図である。
＜美容室端末＞
美容室端末１は、制御部１０と、記憶部２０と、タッチパネルディスプレイ２６と、ＮＦＣ（Ｎｅａｒ  Ｆｉｅｌｄ  Ｃｏｍｍｕｎｉｃａｔｉｏｎ）用アンテナ２７と、ＮＦＣチップ２８と、通信Ｉ／Ｆ部２９とを備える。
制御部１０は、美容室端末１の全体を制御するＣＰＵである。制御部１０は、記憶部２０に記憶されているＯＳや各種アプリケーションプログラムを適宜読み出して実行することにより、上述したハードウェアと協働し、各種機能を実行する。
制御部１０は、書籍コンテンツ受信部１１と、書籍コンテンツ表示部１２（コンテンツ出力手段）と、特定データ出力部１３（特定データ出力手段）と、端末位置送信部１５（端末位置送信手段）と、チラシデータ受信部１６（広告受信手段）と、チラシデータ表示部１７（広告表示手段）と、チラシデータ配信部１８（広告配信手段）とを備える。
【００１９】
書籍コンテンツ受信部１１は、書籍コンテンツをサーバ５から受信する。受信した書籍コンテンツは、記憶部２０の書籍コンテンツ記憶部２２に記憶される。
書籍コンテンツ表示部１２は、書籍コンテンツ記憶部２２に記憶された書籍コンテンツをタッチパネルディスプレイ２６に表示（出力）する。
特定データ出力部１３は、ユーザによる送信操作に基づいて、ＮＦＣチップ２８にコンテンツ特定データやサーバ５のＵＲＬ（Ｕｎｉｆｏｒｍ  Ｒｅｓｏｕｒｃｅ  Ｌｏｃａｔｏｒ）を出力する。コンテンツ特定データは、書籍コンテンツを特定するための識別情報であり、例えば、ＩＳＢＮ（Ｉｎｔｅｒｎａｔｉｏｎａｌ  Ｓｔａｎｄａｒｄ  Ｂｏｏｋ  Ｎｕｍｂｅｒ）のデータである。
端末位置送信部１５は、端末位置データをサーバ５に送信する。端末位置データとは、美容室の店舗８の位置に関する情報であり、例えば、予め記憶部２０に記憶された美容室の店舗８がある所在地の郵便番号、住所や、美容室端末１が備える図示しないＧＰＳ（Ｇｌｏｂａｌ  Ｐｏｓｉｔｉｏｎｉｎｇ  Ｓｙｓｔｅｍ）機能により測位演算して得られた緯度経度データをいう。
チラシデータ受信部１６は、端末位置送信部１５により送信した端末位置データに基づいてサーバ５により選択されたチラシデータを、サーバ５から受信する。
チラシデータ表示部１７は、チラシデータ受信部１６が受信したチラシデータを、タッチパネルディスプレイ２６に表示させる。
チラシデータ配信部１８は、ユーザによる送信操作に基づいて、ＮＦＣチップ２８にチラシデータを出力する。
【００２０】
記憶部２０は、制御部１０が各種の処理を実行するために必要なプログラム、データ等を記憶するためのハードディスク、半導体メモリ素子等の記憶領域である。
記憶部２０は、美容室端末用プログラム２１（貸与端末プログラム）と、書籍コンテンツ記憶部２２（コンテンツ記憶部）と、チラシデータ記憶部２３（広告画像データ記憶部）とを備える。
美容室端末用プログラム２１は、後述する事前準備処理によって、美容室端末１にインストールされるプログラムである。美容室端末用プログラム２１は、サーバ５との間で通信をすることで、美容室端末用プログラム５８ａが美容室端末１にダウンロードされる。美容室端末用プログラム２１は、美容室端末１の制御部１０が実行する各種機能を実行するためのプログラムである。
書籍コンテンツ記憶部２２は、サーバ５から受信した書籍コンテンツを記憶する。
チラシデータ記憶部２３は、サーバ５から受信したチラシデータを記憶する。チラシデータ記憶部２３は、見出し用のデータとして、スーパーマーケット名等の識別情報と、日付とを、チラシデータに対応付けて記憶する。
【００２１】
タッチパネルディスプレイ２６は、液晶パネル等で構成される表示部としての機能と、ユーザ又は美容室の従業員からの指等によるタッチ入力を検出する入力部としての機能とを有する。
ＮＦＣチップ２８は、ＮＦＣの規格により作成されたＩＣ（Ｉｎｔｅｇｒａｔｅｄ  Ｃｉｒｃｕｉｔ）チップである。ＮＦＣの規格（ＩＳＯ／ＩＥＣ１８０９２（ＮＦＣ  ＩＰ−１）、ＩＳＯ／ＩＥＣ２１４８１（ＮＦＣ  ＩＰ−２））では、１３．５６ＭＨｚの電磁波を使い、１００ｍｍ程度の至近距離でデータ通信を行う近距離無線通信が可能である。ＮＦＣチップ２８は、ＮＦＣ規格に準じてＮＦＣ用アンテナ２７により、携帯端末３との間で近距離無線通信を行い、ＩＳＢＮのデータとサーバ５のＵＲＬとを送信したり、チラシデータを送信したりする。
通信Ｉ／Ｆ部２９は、無線通信の基地局９と通信ネットワークＮとを介してサーバ５との通信を行うためのインタフェース部である。
【００２２】
＜携帯端末＞
携帯端末３は、制御部３０と、記憶部４０と、タッチパネルディスプレイ４６と、ＮＦＣ用アンテナ４７と、ＮＦＣチップ４８と、通信Ｉ／Ｆ部４９とを備える。
制御部３０は、携帯端末３の全体を制御するＣＰＵである。制御部３０は、記憶部４０に記憶されているＯＳや各種アプリケーションプログラムを適宜読み出して実行することにより、上述したハードウェアと協働し、各種機能を実行する。
制御部３０は、特定データ取得部３１（特定データ取得手段）と、購入画面出力部３２（購入画面出力手段）と、購入要求送信部３３（購入要求送信手段）と、書籍コンテンツ受信部３４（コンテンツ受信手段）と、書籍コンテンツ表示部３５（コンテンツ出力手段）と、チラシデータ受信部３７（広告受信手段）と、チラシデータ表示部３８（広告表示手段）とを備える。
【００２３】
特定データ取得部３１は、美容室端末１が出力したコンテンツ特定データを、近距離無線通信によって取得する。
購入画面出力部３２は、特定データ取得部３１により取得したコンテンツ特定データをサーバ５に送信することで、サーバ５から受信したコンテンツ特定データにより特定された書籍コンテンツを購入するための購入画面をタッチパネルディスプレイ４６に表示する。
購入要求送信部３３は、ユーザの購入操作に基づいて、サーバ５に対して書籍コンテンツの購入要求データを送信する。
書籍コンテンツ受信部３４は、購入要求送信部３３により送信した購入要求データに対応する書籍コンテンツを、サーバ５から受信する。受信した書籍コンテンツは、記憶部４０に記憶される。
書籍コンテンツ表示部３５は、書籍コンテンツ受信部３４により受信し、記憶部４０に記憶された書籍コンテンツを、タッチパネルディスプレイ４６に表示する。
チラシデータ受信部３７は、美容室端末１が出力したチラシデータを、近距離無線通信によって受信する。
チラシデータ表示部３８は、チラシデータ受信部３７が受信したチラシデータを、タッチパネルディスプレイ４６に表示させる。
【００２４】
記憶部４０は、制御部３０が各種の処理を実行するために必要なプログラム、データ等を記憶するための半導体メモリ素子等の記憶領域である。
記憶部４０は、携帯端末用プログラム４１（携帯端末プログラム）を備える。
携帯端末用プログラム４１は、サーバ５との間を通信することで、携帯端末用プログラム５８ｂが携帯端末３にダウンロードされたプログラムである。また、携帯端末用プログラム４１は、予め携帯端末３にインストールされていてもよい。携帯端末用プログラム４１は、携帯端末３の制御部３０が実行する各種機能を実行するためのプログラムである。
タッチパネルディスプレイ４６は、液晶パネル等で構成される表示部としての機能と、ユーザからの指等によるタッチ入力を検出する入力部としての機能とを有する。
ＮＦＣチップ４８は、ＮＦＣの規格により作成されたＩＣチップである。ＮＦＣチップ４８は、ＮＦＣ規格に準じてＮＦＣ用アンテナ４７を利用して美容室端末１との間で近距離無線通信を行い、ＩＳＢＮのデータとサーバ５のＵＲＬとを受信したり、チラシデータを受信したりする。そして、ＮＦＣチップ４８は、受信したデータを制御部１０に出力する。
通信Ｉ／Ｆ部４９は、無線通信の基地局９と、通信ネットワークＮとを介してサーバ５との通信を行うためのインタフェース部である。
【００２５】
＜事前準備処理＞
次に、コンテンツ購入システム１００による処理の前提として、美容室端末１に対してサーバ５が定期的に書籍コンテンツを配信する事前準備処理について説明する。この事前準備処理は、美容室の従業員が、美容室端末１を用いて行う。
従業員は、予め美容室端末１に書籍コンテンツを配信するための会員登録を、美容室端末１を操作してサーバ５に対して行う。従業員の操作に応じて、美容室端末１は、サーバ５の会員登録用のＷｅｂページにアクセスする。そして、美容室端末１は、サーバ５に対して、店舗情報を登録すると共に、購入したい書籍コンテンツを選択する事前登録処理を行う。店舗情報は、店舗所在地の郵便番号、住所等の端末位置データに関する情報の他、店舗名、会員登録が行われた旨の連絡を受けるための電子メールアドレスや、書籍コンテンツを購入した際の決済方法等も含む。書籍コンテンツは、美容室向けに好まれる複数の雑誌等をパッケージした基本パッケージの他、男性ファッション誌、スポーツ誌等のパッケージがサーバ５に予め用意されており、従業員は、その中から１つ又は複数のパッケージを選択する。
【００２６】
美容室端末１による事前会員登録処理の後、サーバ５は、美容室の店舗８を指定するＩＤ（ＩＤｅｎｔｉｆｉｅｒ）及びパスワードと、本登録用のＵＲＬとが記述された電子メールの本文を、美容室端末１の電子メールアドレス宛に送信する。美容室端末１は、ＩＤ及びパスワードの情報を含む電子メールを受信する。美容室端末１は、タッチパネルディスプレイ２６が操作されて、本登録用のＵＲＬが入力されると、サーバ５のダウンロードサイトにアクセスする。そして、美容室端末１は、電子メールに記述されたＩＤ及びパスワードが入力されると、美容室端末用プログラム５８ａをダウンロードし、記憶部２０に美容室端末用プログラム２１として記憶する。
また、美容室端末１は、サーバ５によって定期的に配信される書籍コンテンツを受信して、書籍コンテンツ記憶部２２に記憶させる。
【００２７】
＜美容室端末の処理＞
次に、美容室端末１の処理について説明する。図３は、本実施形態に係る美容室端末１の処理を示すフローチャートである。図４は、本実施形態に係る美容室端末１のタッチパネルディスプレイ２６での表示例を示す図である。
図３のステップＳ（以下、「Ｓ」という。）１０からＳ１３までは、ユーザが来店する前に、美容室の従業員によって予め行われる処理である。
Ｓ１０において、美容室端末１の制御部１０は、従業員の操作によって、美容室端末用プログラム２１を起動する。
Ｓ１１において、端末位置送信部１５は、美容室所在地の郵便番号である端末位置データをサーバ５に対して送信する。
サーバ５では、制御部５０が、受信した端末位置データに基づいて、日付に当日の日付を含む、美容室の周辺に位置したスーパーマーケットの店舗等のチラシデータを、チラシデータ記憶部５７から選択して、美容室端末１に送信する。
Ｓ１２において、チラシデータ受信部１６は、サーバ５から送信されたチラシデータを受信する。
Ｓ１３において、制御部１０は、タッチパネルディスプレイ２６にメニュー画面６０を表示する。
その後、メニュー画面６０が表示された美容室端末１は、従業員から美容処理待ちのユーザに貸与される。そして、ユーザは、待ち時間等に美容室端末１を操作する。
【００２８】
図４（ａ）は、メニュー画面６０の例を示す。制御部１０は、メニュー画面６０として、書籍表示部６１と、広告表示部６２と、アンケート表示部６３と、チラシ表示部６４と、メニュー切替部６５とから構成された画面をタッチパネルディスプレイ２６に表示させる。
書籍コンテンツ表示部１２は、書籍表示部６１に、書籍コンテンツのサムネイル６１ａを表示させる。書籍コンテンツ表示部１２は、書籍表示部６１に、左右に移動ボタン６１Ｌと６１Ｒとを表示させる。これら移動ボタン６１Ｌ，６１Ｒが、ユーザにより選択されることで、書籍コンテンツ表示部１２は、表示される書籍コンテンツのサムネイル６１ａを変更する。
制御部１０は、広告表示部６２に、バナー広告等の広告コンテンツを表示させる。広告コンテンツとしては、美容室を訪れるユーザの大半が女性であることから、例えば、女性向け化粧品の広告コンテンツ等が選択される。
制御部１０は、アンケート表示部６３に、例えば、市場調査したい企業等のアンケートを表示させる。市場調査の内容としても、女性向けのものが選択される。
【００２９】
チラシデータ表示部１７は、チラシ表示部６４に、Ｓ１２で受信したチラシデータにリンクさせて、チラシの見出しを表示させる。
制御部１０は、メニュー切替部６５に、メニューを切り替えるためのアイコンを表示させる。例えば、本棚のアイコン６５ｉが選択されることで、制御部１０は、書籍コンテンツ記憶部２２に記憶されている複数の書籍コンテンツのサムネイルを一覧表示させる。また、アイコン６５ｔが選択されることで、どのような画面に遷移していても、制御部１０は、メニュー画面６０を表示させる。
ユーザは、メニュー画面６０で、書籍表示部６１に表示されたサムネイル６１ａを選択することで、書籍コンテンツを選択したり、チラシ表示部６４に表示されたチラシの見出しから１つを選択したりできる。また、ユーザは、メニュー画面６０で、広告表示部６２に表示された広告コンテンツを選択したり、アンケート表示部６３に表示されたアンケートを選択したりすることができる。さらに、ユーザは、本棚のアイコン６５ｉが選択されることで一覧表示されたサムネイルから、１つを選択することで、書籍コンテンツを選択できる。
【００３０】
図３に戻り、Ｓ１４において、制御部１０は、書籍コンテンツが選択されたか否かを判断する。書籍コンテンツが選択された場合（Ｓ１４：ＹＥＳ）には、制御部１０は、処理をＳ１５に移す。他方、書籍コンテンツが選択されていない場合（Ｓ１４：ＮＯ）には、制御部１０は、処理をＳ２０に移す。
Ｓ１５において、書籍コンテンツ表示部１２は、書籍コンテンツをタッチパネルディスプレイ２６に表示する。
図４（ｂ）に示すように、書籍コンテンツ表示部１２は、メニュー切替部６５を除くコンテンツ表示領域６６に、書籍コンテンツを表示させる。そして、コンテンツ表示領域６６の右端又は左端をユーザが指を使ってタッチする操作をすることで、制御部１０は、前のページに戻したり、次のページに送って表示したりする。
制御部１０は、メニュー切替部６５に、アイコン６５ｔの他に、購入検討のアイコン６５ｂを表示させる。
ユーザは、書籍コンテンツを読んでいる途中で、待ち時間が終わりユーザ自身が美容処理される順番となり、書籍コンテンツを読めなくなってしまった場合に、購入検討のアイコン６５ｂを選択することができる。このようにすることで、美容室端末１は、書籍コンテンツの続きを携帯端末３で見るために必要なデータを出力できる。
【００３１】
図３に戻り、Ｓ１６において、制御部１０は、「購入検討」が選択されたか否かを判断する。「購入検討」が選択された場合（Ｓ１６：ＹＥＳ）には、制御部１０は、処理をＳ１７に移す。他方「購入検討」が選択されていない場合（Ｓ１６：ＮＯ）には、制御部１０は、処理をＳ３０に移す。
Ｓ１７において、特定データ出力部１３は、ＮＦＣチップ２８に対してコンテンツ特定データであるＩＳＢＮのデータと、サーバ５のＵＲＬとを出力する。そして、ＮＦＣチップ２８は、ＮＦＣ用アンテナ２７を用いて、携帯端末３と近距離無線通信を確立し、ＩＳＢＮのデータと、サーバ５のＵＲＬとを無線送信する。その後、制御部１０は、処理をＳ３０に移す。
【００３２】
Ｓ２０において、制御部１０は、チラシの見出しが選択されたか否かを判断する。チラシの見出しが選択された場合（Ｓ２０：ＹＥＳ）には、制御部１０は、処理をＳ２１に移す。他方、チラシの見出しが選択されなかった場合（Ｓ２０：ＮＯ）には、処理をＳ３０に移す。
Ｓ２１において、チラシデータ表示部１７は、タッチパネルディスプレイ２６にチラシ６７を表示させる。図４（ｃ）に示すように、チラシデータ表示部１７は、メニュー切替部６５を除くコンテンツ表示領域６６に、チラシ６７を表示させる。そして、コンテンツ表示領域６６をユーザが指を使って操作することによって、チラシデータ表示部１７は、チラシ６７を拡大、縮小したり、チラシ６７を移動させたりする。
また、制御部１０は、メニュー切替部６５に、アイコン６５ｔの他に、ダウンロードのアイコン６５ｄを表示させる。
ユーザは、興味のあるチラシを携帯端末３でも見たい場合に、ダウンロードのアイコン６５ｄを選択することができる。このようにすることで、美容室端末１は、チラシデータを携帯端末３へ送信する。
【００３３】
図３に戻り、Ｓ２２において、制御部１０は、「ダウンロード」が選択されたか否かを判断する。「ダウンロード」が選択された場合（Ｓ２２：ＹＥＳ）には、制御部１０は、処理をＳ２３に移す。他方、「ダウンロード」が選択されていない場合（Ｓ２２：ＮＯ）には、制御部１０は、処理をＳ３０に移す。
Ｓ２３において、チラシデータ配信部１８は、ＮＦＣチップ２８へチラシデータを出力する。そして、ＮＦＣチップ２８は、ＮＦＣ用アンテナ２７を用いて、携帯端末３と近距離無線通信を確立し、チラシデータを無線送信する。その後、制御部１０は、処理をＳ３０に移す。
【００３４】
Ｓ３０において、制御部１０は、「トップへ」が選択されたか否かを判断する。「トップへ」が選択された場合（Ｓ３０：ＹＥＳ）には、制御部１０は、処理をＳ１３に移す。「トップへ」が選択されていない場合（Ｓ３０：ＮＯ）には、制御部１０は、処理をＳ３１に移す。
その後、ユーザから美容室端末１の返却を受けた従業員は、美容室端末１から美容室端末用プログラム２１の終了操作を行うことができる。
Ｓ３１において、制御部１０は、美容室端末用プログラム２１の終了操作を受け付けて、美容室端末用プログラム２１を終了するか否かを判断する。美容室端末用プログラム２１を終了する場合（Ｓ３１：ＹＥＳ）には、制御部１０は、処理をＳ３２に移す。他方、美容室端末用プログラム２１を終了しない場合（Ｓ３１：ＮＯ）には、制御部１０は、処理をＳ３０に移す。
Ｓ３２において、制御部１０は、美容室端末用プログラム２１を終了する。その後、制御部１０は、本処理を終了する。
【００３５】
なお、Ｓ２０でＮＯが選択された場合に、制御部１０が処理をＳ３０に移すものとして説明したが、メニュー画面６０に表示された他のメニューである、広告コンテンツが選択された場合や、アンケートが選択された場合等に応じて、制御部１０が、選択に応じた各処理を行ってもよい。
このようにすることで、美容室端末１は、タッチパネルディスプレイ２６に書籍コンテンツを表示したり、チラシを表示したりできる。そして、ユーザによる操作を受け付けて、美容室端末１は、携帯端末３へＩＳＢＮのデータやサーバ５のＵＲＬを送信したり、チラシデータを送信したりできる。
【００３６】
＜携帯端末の処理＞
次に、携帯端末３の処理について説明する。図５は、本実施形態に係る携帯端末３の処理を示すフローチャートである。図６及び図７は、本実施形態に係る美容室端末１と携帯端末３との関係を示す図及び両端末での表示例を示す図である。
図５のＳ５０において、携帯端末３の制御部３０は、例えば、ユーザの操作によって、携帯端末用プログラム４１を起動する。
そして、ユーザは、上述した図３のＳ１６や、Ｓ２２の操作をした後、美容室端末１に携帯端末３を近づける。
【００３７】
Ｓ５１において、制御部３０は、美容室端末１との間で、ＮＦＣチップ４８とＮＦＣ用アンテナ４７とにより近距離無線通信を確立したか否かを判断する。美容室端末１との間で通信を確立した場合（Ｓ５１：ＹＥＳ）には、制御部３０は、処理をＳ５２に移す。他方、美容室端末１との間で通信を確立していない場合（Ｓ５１：ＮＯ）には、制御部３０は、美容室端末１との間で通信を確立するまで待機する。
Ｓ５２において、特定データ取得部３１は、ＩＳＢＮのデータとサーバ５のＵＲＬとを受信したか否かを判断する。ＩＳＢＮのデータとサーバ５のＵＲＬとを受信した場合（Ｓ５２：ＹＥＳ）には、制御部３０は、処理をＳ５３に移す。他方、ＩＳＢＮのデータとサーバ５のＵＲＬとを受信していない場合（Ｓ５２：ＮＯ）には、制御部３０は、処理をＳ６０に移す。
図６（ａ）は、携帯端末３がＩＳＢＮのデータとサーバ５のＵＲＬとを美容室端末１から受信する際の美容室端末１と携帯端末３との位置関係を示す。美容室端末１が上述した図３のＳ１７においてＩＳＢＮのデータ等の送信を行っている状態で、ユーザが、携帯端末３を美容室端末１に近づけることで、携帯端末３は、ＩＳＢＮのデータ等を受信することができる。
【００３８】
図５に戻り、Ｓ５３において、携帯端末３の制御部３０は、受信したサーバ５のＵＲＬにアクセスしてＩＳＢＮのデータを送信し、そのＩＳＢＮにより示される電子書籍の購入画面データを受信する。
Ｓ５４において、購入画面出力部３２は、購入画面７０をタッチパネルディスプレイ４６に表示する。図６（ｂ）は、購入画面７０の表示例を示す。購入画面出力部３２は、購入画面７０内に、ＩＳＢＮのデータに基づき特定された書籍コンテンツの購入のための領域７１を表示させる。また、購入画面出力部３２は、参考として、その書籍コンテンツを購入したユーザ以外の者が、他に購入した書籍コンテンツの購入画面の領域７２をサーバ５から受信して、購入画面７０内に表示させてもよい。このようにすることで、ユーザに、興味のある様々な書籍コンテンツの購入機会を提供できる。そして、ユーザは、書籍コンテンツを購入したい場合には、購入のボタン７１ｂやボタン７２ｂを選択する。
図５に戻り、Ｓ５５において、制御部３０は、ユーザによる購入操作がされたか否かを判断する。購入操作がされた場合（Ｓ５５：ＹＥＳ）には、制御部３０は、処理をＳ５６に移す。他方、購入操作がされていない場合（Ｓ５５：ＮＯ）には、制御部３０は、本処理を終了する。
【００３９】
Ｓ５６において、購入要求送信部３３は、購入要求データをサーバ５に対して送信する。
Ｓ５７において、制御部３０は、購入処理を行う。購入処理とは、携帯端末３がサーバ５との間で通信し、書籍コンテンツ購入のための決済処理をいう。決済処理は、例えば、ユーザが携帯端末３からクレジットカード番号を入力することで、クレジットカードによる決済を行う。
Ｓ５８において、書籍コンテンツ受信部３４は、サーバ５から書籍コンテンツを受信し、記憶部４０に記憶させる。
Ｓ５９において、書籍コンテンツ表示部３５は、受信した書籍コンテンツをタッチパネルディスプレイ４６に表示させる。その後、制御部３０は、本処理を終了する。
【００４０】
このように、美容室端末１がその書籍コンテンツを特定するＩＳＢＮのデータとサーバ５のＵＲＬとを送信し、携帯端末３がそれらのデータを受信する。そして、携帯端末３は、サーバ５のＵＲＬにアクセスしてＩＳＢＮのデータをサーバ５へ送信し、ＩＳＢＮのデータで特定される書籍コンテンツを購入する購入処理を行う。その後、携帯端末３は、美容室端末１と同一の書籍コンテンツをサーバ５からダウンロードして表示する。
【００４１】
他方、Ｓ６０において、チラシデータ受信部３７は、チラシデータを受信したか否かを判断する。チラシデータを受信した場合（Ｓ６０：ＹＥＳ）には、制御部３０は、処理をＳ６１に移す。他方、チラシデータを受信していない場合（Ｓ６０：ＮＯ）には、制御部３０は、本処理を終了する。
図７（ａ）は、携帯端末３がチラシデータを美容室端末１から受信する際の美容室端末１と携帯端末３との位置関係を示す。美容室端末１が上述した図３のＳ２３においてチラシデータの送信を行っている状態で、ユーザが、携帯端末３を美容室端末１に近づけることで、携帯端末３は、チラシデータを受信することができる。
【００４２】
図５に戻り、Ｓ６１において、チラシデータ表示部３８は、タッチパネルディスプレイ４６にチラシ６７を表示させる。図７（ｂ）に示すように、チラシ６７は、美容室端末１に表示されているチラシ６７と同じものである。
Ｓ６２において、制御部３０は、受信したチラシデータを保存するか否かを判断する。これは、携帯端末３にチラシ６７が表示されている状態で、図示しない保存のアイコン等が選択されることで判断できる。チラシデータを保存する場合（Ｓ６２：ＹＥＳ）には、制御部３０は、処理をＳ６３に移す。他方、チラシデータを保存しない場合（Ｓ６２：ＮＯ）には、制御部３０は、本処理を終了する。
Ｓ６３において、制御部３０は、チラシデータを記憶部４０に記憶させる。その後、制御部３０は、本処理を終了する。
【００４３】
このように、携帯端末３は、美容室端末１で表示中のチラシデータを美容室端末１から直接受信することで、携帯端末３は、チラシを表示できる。よって、ユーザが、美容室端末１から気に入ったチラシのチラシデータを送信させ、チラシデータを受信した携帯端末３は、チラシを表示することができる。また、チラシデータを後から参照できるように記憶部４０に記憶させることで、ユーザがいつでもチラシを見ることができる。
【００４４】
このように、本実施形態のコンテンツ購入システム１００によれば、以下のような効果がある。
（１）携帯端末３が美容室端末１に表示された書籍コンテンツと同一の書籍コンテンツを、サーバ５から購入できる。
美容室端末１が貸与されている間に、ユーザが、美容室端末１で見た書籍コンテンツと同一の書籍コンテンツを購入した場合に、サーバ５がユーザの携帯端末３に同一の書籍コンテンツを送信するので、ユーザが見ている途中に美容室端末１を返却するような場合でも、返却後は、自分の携帯端末３で引続きその書籍コンテンツを見ることができる。
美容室端末１に記憶された書籍コンテンツと同一の書籍コンテンツを、サーバ５から携帯端末３に記憶させるように、ユーザに書籍コンテンツの購入を促すことができ、書籍コンテンツの購入が促進される。
【００４５】
（２）美容室端末１は、記憶部２０に記憶する書籍コンテンツを、携帯端末３で特定できるようにＩＳＢＮのデータを出力できる。
（３）美容室端末１は、タッチパネルディスプレイ２６に表示された書籍コンテンツのＩＳＢＮのデータを、携帯端末３で特定できるように、美容室端末１から出力することができる。よって、ユーザが現に見ている書籍コンテンツを、携帯端末３が特定できる。
（４）美容室端末１は、タッチパネルディスプレイ２６に表示されたチラシのチラシデータを、サーバ５からではなく、美容室端末１から携帯端末３に対して直接配信できる。著作権の制限を受けないチラシデータは、ユーザが興味を持った場合等に、ユーザが自由に入手でき、広告効果の向上が期待できる。
（５）美容室端末１は、タッチパネルディスプレイ２６に出力するチラシデータを、その美容室端末１を所有する美容室の店舗８が立地する住所等の位置に応じたものにできる。よって、ユーザがその後に行きやすく、興味を示した有用なチラシデータを、美容室端末１から出力できる。
【００４６】
（６）携帯端末３を、美容室端末１に対して近距離に近づけることで、携帯端末３は、美容室端末１が表示する書籍コンテンツを特定できるようにＩＳＢＮのデータを取得して、書籍コンテンツの購入画面７０を表示できる。
（７）携帯端末３は、サーバ５のＵＲＬにアクセスしてＩＳＢＮのデータをサーバ５に対して送信することで、サーバ５から受信した購入画面７０を表示するので、少ない通信量のデータを美容室端末１と携帯端末３との間の通信で受け渡せばよく、コンテンツ購入システム１００を容易に構築できる。
（８）携帯端末３は、サーバ５から書籍コンテンツを購入してダウンロードできる。
（９）携帯端末３は、サーバ５を介さずに美容室端末１に表示されたチラシのチラシデータを直接受信して、携帯端末３でそのチラシを表示できる。著作権の制限を受けないチラシデータに関しては、携帯端末３は、美容室端末１から直接受信してタッチパネルディスプレイ４６に表示させるので、処理が簡単である。
【００４７】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４８】
（変形形態）
（１）本実施形態では、美容室端末１から送信されたＩＳＢＮのデータを、携帯端末３が受信し、携帯端末３では、受信したＩＳＢＮのデータに基づいてサーバ５から購入画面を受信して表示するものとして説明した。しかし、携帯端末３がサーバ５を介さずに購入画面を表示するものであってもよい。具体的には、携帯端末３が、ＩＳＢＮのデータを含む購入画面の画面データを美容室端末１から受信して、受信した画面データから購入画面を生成して出力するものであってもよい。この場合には、携帯端末３は、サーバ５と通信することなく購入画面を表示させることができる。よって、美容室の店舗内において、携帯端末３が基地局９との通信ができない場合に、ユーザの購入意欲が維持された状態のままで購入画面まで表示させることで、書籍コンテンツの購入につなげることができる。
【００４９】
（２）本実施形態では、美容室端末１は、ＩＳＢＮのデータを送信するものとして説明した。しかし、美容室端末１は、ユーザが見ている書籍コンテンツのページ番号等の視聴位置データと共に、ＩＳＢＮのデータを送信するものであってよい。視聴位置データは、「購入検討」が選択された際に、美容室端末１に表示されているページを特定するものである。この場合には、携帯端末３は、ＩＳＢＮのデータ及びサーバ５のＵＲＬと共に、視聴位置データとを美容室端末１から取得する。そうすることで、携帯端末３では、美容室端末１で見ていた書籍コンテンツと同一の書籍コンテンツをサーバ５から受信して、視聴位置データが示す書籍コンテンツのページから表示することができる。よって、ユーザは、例えば、美容室端末１を返却するために見ることを中止したページの続きから書籍コンテンツを見ることができる。
【００５０】
（３）本実施形態では、美容室端末１と携帯端末３とのＩＣチップは、ＮＦＣチップを有するものとして説明した。しかし、ＩＣチップは、ＮＦＣチップ以外であってもよい。例えば、ＵＩＭ（Ｕｓｅｒ  Ｉｄｅｎｔｉｔｙ  Ｍｏｄｕｌｅ）であってもよいし、マイクロＳＤカード等の美容室端末１から取り外し可能な記憶媒体であってもよいし、取り外しが不可のモジュールであってもよい。
（４）本実施形態では、美容室端末１と携帯端末３との間で近距離無線通信を利用するものとして説明した。しかし、例えば、美容室端末１にＱＲコード（登録商標）等の二次元コードを表示（出力）させ、携帯端末３は、その二次元コードを読み取ることで、美容室端末１から携帯端末３がＩＳＢＮのデータとサーバ５のＵＲＬとをデコードして取得してもよい。
【００５１】
（５）本実施形態のコンテンツ購入システム１００では、美容室において、書籍コンテンツを購入するものとして説明した。しかし、コンテンツは、書籍コンテンツでなくてもよく、例えば、映画のコンテンツや、音楽のコンテンツ等の著作物でもよい。そして、ユーザは、美容室端末１を用いて、映画のコンテンツを視聴したり、音楽のコンテンツを聴いたりしてもよい。また、美容室に限定されるものではなく、例えば、病院、電車等の乗り物の待合室、飛行機の機内等、ユーザに貸与する端末があればよい。また、ユーザに貸与する端末は、座席に固定され、ユーザが使用できるものをも含む。
（６）本実施形態では、携帯端末３での購入処理の際の決済処理について、クレジットカードによる決済を行うものとして説明した。しかし、決済処理は、預金口座からの引き落としや、振込用紙による支払い等であってもよい。
また、携帯端末３のユーザは、美容室端末１を介して決済処理を行うようにしてもよい。この場合、携帯端末３のユーザは、美容室での美容費用の他に、書籍コンテンツの代金を支払う。このようにすれば、携帯端末３のユーザが、書籍コンテンツの決済に必要な各種処理を行う作業が軽減できる。また、美容室端末１が設置された美容室において既に決済処理を行っている方法を活用できる。
（７）本実施形態では、１つのサーバ５が、書籍コンテンツに関する処理と、チラシデータに関する処理とを行うものとして説明した。しかし、サーバ５は、例えば、各処理に対応して複数あってもよい。
【符号の説明】
【００５２】
１    美容室端末
３    携帯端末
５    サーバ
９    基地局
１０，３０，５０  制御部
１１，３４  書籍コンテンツ受信部
１２，３５  書籍コンテンツ表示部
１３  特定データ出力部
１５  端末位置送信部
１６、３７  チラシデータ受信部
１７、３８  チラシデータ表示部
１８  チラシデータ配信部
２０，４０，５５  記憶部
２１，５８ａ  美容室端末用プログラム
２２，５６  書籍コンテンツ記憶部
２３，５７  チラシデータ記憶部
２６，４６  タッチパネルディスプレイ
２７，４７  ＮＦＣ用アンテナ
２８，４８  ＮＦＣチップ
３１  特定データ取得部
３２  購入画面出力部
３３  購入要求送信部
４１，５８ｂ  携帯端末用プログラム
１００  コンテンツ購入システム
Ｎ    通信ネットワーク
【図１】
2014119806.tif 000003
【図２】
2014119806.tif 000004
【図３】
2014119806.tif 000005
【図４】
2014119806.tif 000006
【図５】
2014119806.tif 000007
【図６】
2014119806.tif 000008
【図７】
2014119806.tif 000009